(57)【要約】【課題】一定のルールの中で自由設計を可能とし、顧客の多様なニーズに応えられるようにしつつも、設計の効率性を高めた、建物を提供する。【解決手段】建物の外壁線よりも内側に、外壁線と平行な、少なくとも１の第１基本線10をあらかじめ設定する。外壁線よりも内側においては、建物の構造上必要な柱である構造柱30、耐力壁40、または構造柱30および耐力壁40を、第１基本線10上にのみ設置する。【選択図】図１
2009057778.tif 000002
【特許請求の範囲】
【請求項１】
建物の外壁線よりも内側に、外壁線と平行な少なくとも１の第１基本線があらかじめ設定され、外壁線よりも内側においては、建物の構造上必要な柱である構造柱、耐力壁、または構造柱および耐力壁が、第１基本線上にのみ設置されていることを特徴とする建物。
【請求項２】
建物の外壁線よりも内側に、外壁線と平行でかつ第１基本線と直交する少なくとも１の第２基本線があらかじめ設定され、第１基本線および第２基本線を総称して基本線とし、外壁線よりも内側においては、構造柱、耐力壁、または構造柱および耐力壁が、基本線上にのみ設置されていることを特徴とする請求項１記載の建物。
【請求項３】
第１基本線と第２基本線との交点に、構造柱が設置されていることを特徴とする請求項２記載の建物。
【請求項４】
第１基本線および第２基本線を総称して基本線とし、外壁線と基本線との間に、設備空間または吹抜け空間が配置されていることを特徴とする請求項１、２または３記載の建物。
【請求項５】
第１基本線および第２基本線を総称して基本線とし、基本線上に設置されている耐力壁が、基本線上に設置されている非耐力壁とは区別可能に形成されていることを特徴とする請求項１、２、３または４記載の建物。
【請求項６】
建物の外壁線よりも内側に、外壁線と平行な少なくとも１の第１基本線をあらかじめ設定し、外壁線よりも内側においては、建物の構造上必要な柱である構造柱、耐力壁、または構造柱および耐力壁を、第１基本線上にのみ配置するようにしたことを特徴とする建物の設計方法。
【発明の詳細な説明】
【技術分野】
【０００１】
本発明は、建物および建物の設計方法に関し、さらに詳しくは、一定のルールの中で自由設計を可能とし、顧客の多様なニーズに応えられるようにしつつも、設計の効率性を高めた、建物および建物の設計方法に関する。
【背景技術】
【０００２】
従来、建物を適切かつ効率的に設計することを目的として、設計図の縦方向および横方向に延びる、モジュール毎のモジュール線を設定し、そのモジュール線に沿って、外壁や内壁などの建物の構成要素を配置する、ということが行なわれていた。
ここで、モジュールは、例えば、９１０ｍｍ、１０００ｍｍ、あるいは１２００ｍｍといった既定の寸法の中から、設計しようとする建物に適した寸法が選択される。
しかし、モジュール線に沿って建物の構成要素を配置する、という設計方法では、効率的かつ設計の自由度が高いという利点があるものの、その一方で、熟練度の低い設計者にあっては、このような利点を十分に発揮させることができず、むしろ不適切な設計を行なってしまうこともあった。特に、住宅の設計においては、最近では、施主が積極的に設計に参加することが多いが、施主が設計に参加すると、自らの好みを設計に盛り込むことから、ある特定の側面ばかりが強調されることとなり、そうすると、全体の調和を欠く設計となってしまう。これでは、新築時の施主以外の住まい手にとっては魅力に欠ける住宅になってしまい、その結果、日本の中古住宅の流通を阻害する一因となっている。
【０００３】
またここで、住宅の設計を自由かつ効率的にするために、階段室と水回り系の部屋とからなる基本区画を設計し、この基本区画の少なくとも一辺を、自由区画の少なくとも一辺に接するように配置するようにした住宅の設計方法が知られている（特許文献１）。
また、自由度を高めつつも迅速な設計を可能にするために、フリープラン型住宅のフリースペース内に、最初にキッチンの配置位置を決定し、その後に、他の居住空間や設備空間等の配置位置を決定するようにした住宅の設計方法も知られている（特許文献２）。
また、耐力壁線を考慮に入れた設計を簡単にするために、リビングダイニング、和室、玄関を、耐力壁線によって平面的に分けられた区画内に、この耐力壁線を跨がないように配置するようにした住宅の設計方法も知られている（特許文献３）。
【特許文献１】特開２０００−９６８４８号公報
【特許文献２】特開２００１−１０７５７４号公報
【特許文献３】特開平９−４９３３８号公報
【発明の開示】
【発明が解決しようとする課題】
【０００４】
上述した従来の技術では、基本区画やキッチンを、あらかじめ適切に設計できるという利点がある。
しかしながら、あらかじめ設計された基本区画やキッチンの少なくとも一辺を、建物の外壁線よりも内側にあるモジュール線に沿って移動させる、という設計方法は、自由度が非常に高いものの、その反面、全体の調和を保ちつつ設計するには、非常に高度な設計技術を要する。
また、施主の多様な要望に応えるためには、多種多様な基本区画やキッチンをあらかじめ用意しておく必要があり、これら多種多様な基本区画やキッチンを、規模の異なる建物内に配置するには、多くの知識を必要とする。
【０００５】
また、上述した従来の設計方法で設計された住宅においては、構造上必要な柱である構造柱や耐力壁の配置には考慮が払われておらず、各住宅において適切な位置に構造柱や耐力壁を配置するようにしていた。
例えば、複数階の建物において、開放感をもたらす吹抜け空間を内部空間に配置しようとするときには、構造体の十分な強度を確保するために、床梁の配置をその都度検討しなければならなかった。
また、設備空間についても、その配置計画によって、構造柱や耐力壁の配置をその都度検討しなければならなかった。
【０００６】
つまり、従来の設計方法では、まずはじめに間取りありきで、この間取りに基づいて、構造柱や耐力壁の配置を決めるようにしていた。
また、建築後、居住者のニーズによって、間取りを変更しようとした場合に、室内のどの壁が耐力壁であるのか、また、どの壁に構造柱が設けられているのか、図面では判断できない場合が多い。
また、たとえそれらが図面に表わされていたとしても、図面を紛失してしまっては、判断ができなくなってしまう。
そこで、本発明は、基本区画やキッチン等の配置をあらかじめ決定しておかなくても、施主の多様な要望を取り入れつつ、構造柱や耐力壁の配置を含めて全体として調和がとれた建物を、基本的な知識を有する設計者であれば、効率的に設計することができる建物およびその設計方法を提供することを目的とする。
【課題を解決するための手段】
【０００７】
（請求項１）
請求項１記載の発明は、建物に係るものであって、建物の外壁線よりも内側に、外壁線と平行な少なくとも１の第１基本線10があらかじめ設定され、外壁線よりも内側においては、建物の構造上必要な柱である構造柱30、耐力壁40、または構造柱30および耐力壁40が、第１基本線10上にのみ設置されていることを特徴とする。
ここで、「建物の外壁線」とは、建物の外壁の位置を示す線をいう。
また、「外壁線よりも内側」とは、建物の室内側をいう。
また、「第１基本線10」とは、建物の外壁線よりも内側に、外壁線と平行に、あらかじめ設定される線をいう。また、第１基本線10は、少なくとも１つ設定される。つまり、第１基本線10は、最低１本は設定されるものである。また、第１基本線10は、最低１本設定されればよく、したがって、２本以上設定してもよい。つまり、例えば、２本の第１基本線10を平行に設けてもよい。また、第１基本線10は、直線状にすることができるが、直線状に限られるものではなく、例えば、外壁線と平行であれば、折れ線状にしてもよい。つまり、平面視矩形の外壁線を有する建物の室内側に、「Ｌ」字形に折れ曲がった折れ線状の第１基本線10を設定することもできる。
【０００８】
また、「構造柱30」とは、建物の構造上必要な柱をいう。また、「建物の構造上必要な柱」とは、この柱がなければ建物として成り立たない、そのような柱を意味する。つまり、「建物の構造上必要な柱」とは、その建物になくてはならない柱を意味するものであり、リフォームで間取りを変更する際にあっても、決して取り除くことができない柱を意味するものである。梁や屋根を支持する柱が、この構造柱30に該当する。一方、間仕切り壁を支持する柱であって、たとえ取り除いたとしても建物の構造に影響を与えることのない柱は、この構造柱30には該当しない。
また、「耐力壁40」とは、建物に加わる水平方向の外力に対する耐力を負担する壁をいう。また、耐力壁40としては、例えば、その両側位置に鉛直方向に延びる柱をそれぞれ立設し、これらの柱の下端を、水平方向に延びる土台等の下横架材で連結するとともに、これらの柱の上端を、水平方向に延びる梁等の上横架材で連結して、四角形状の枠体を形成し、そして、枠体の内側に筋交いをＸ字形にたすきがけしたものや、また、枠体の表面に構造用合板を張り付けて枠体の開口60全体を塞いだものなどがある。
【０００９】
そして、本発明では、外壁線よりも内側においては、構造柱30、耐力壁40、または構造柱30および耐力壁40が、第１基本線10上にのみ設置されている。
また、「構造柱30、耐力壁40、または構造柱30および耐力壁40が、第１基本線10上にのみ設置されている」とは、第１基本線10上には、構造柱30のみが設置されることもあれば、耐力壁40のみが設置されることもあれば、構造柱30および耐力壁40の双方が設置されることもある、ということを意味するものである。
つまり、本発明では、外壁線よりも内側においては、つまり、建物の室内側においては、第１基本線10上にのみ、構造柱30、耐力壁40、または構造柱30および耐力壁40が設置される。さらに言えば、外壁線よりも内側であって、第１基本線10から外れた位置には、構造柱30も耐力壁40も設置されない。また、外壁線よりも内側であって、第１基本線10から外れた位置には、耐力壁40ではない間仕切り壁や、間仕切り壁を支持するためのものであって構造柱30ではない柱などについては、設置してもよい。また、本発明に係る建物では、建物の外壁線上にも、構造柱30、および耐力壁40が設置される。そして、本発明に係る建物は、外壁線上に設置された構造柱30および耐力壁40と、第１基本線10上に設置された構造柱30、耐力壁40、または構造柱30および耐力壁40とによって、建築基準法上十分な耐震性能が発揮されるように、構造計算に基づいた設計が行なわれ、そして、その設計に従って施工されるのである。
【００１０】
本発明によれば、個別具体的な間取りのプランニングの前に、建物の外壁線よりも内側に、外壁線と平行な、少なくとも１の第１基本線10が、あらかじめ設定されている。そして、間取りは、第１基本線10があることを前提にプランニングされる。そして、建物の外壁線上に設置された構造柱30および耐力壁40と、第１基本線10上に設置された構造柱30、耐力壁40、または構造柱30および耐力壁40とによって、建築基準法上十分な耐震性能を発揮するように、構造計算に基づいた設計が行なわれる。そして、その設計に従って建物が施工される。
つまり、従来の建物は、まずはじめに間取りありきで、この間取りに基づいて、構造柱30や耐力壁40の配置が決められる。そして、これらの構造柱30や耐力壁40によって、建築基準法上十分な耐震性能を発揮するように、構造計算に基づいた設計が行なわれ、その設計に従って建物が施工される。
【００１１】
これに対し、本発明の建物は、まずはじめに第１基本線10ありきで、この第１基本線10があることを前提に、間取りのプランニングが行なわれる。そして、建物の外壁線上に設置された構造柱30および耐力壁40と、第１基本線10上に設置された構造柱30、耐力壁40、または構造柱30および耐力壁40とによって、建築基準法上十分な耐震性能を発揮するように、構造計算に基づいた設計が行なわれ、その設計に従って建物が施工される。
このため、本発明によれば、室内側における構造柱30や耐力壁40の位置を、第１基本線10上に集約することができるので、間取りをあらかじめ決定しておかなくても、施主の多様な要望を取り入れつつ、構造柱30や耐力壁40の配置を含めて全体として調和がとれた建物を効率的に設計できるのである。
【００１２】
また、本発明によれば、第１基本線10の位置さえ明らかになれば、第１基本線10から外れた位置に配置されている柱や壁は構造柱30や耐力壁40ではないことが明らかになり、これにより、どの柱や壁が取り外し可能かがすぐにわかるので、建築後のリフォームでの間取り変更がしやすくなる。
また、本発明によれば、たとえ間取りが決まらなくても、構造柱30の位置と耐力壁40の位置とを決めることができるので、例えば、部屋にすることを予定していた位置を後で吹抜け空間80にするように変更したとしても、構造柱30や耐力壁40の位置を見直して構造計算をやり直さなくても済むので、設計変更も容易に行なうことができる。
【００１３】
また、本発明によれば、第１基本線10があることを前提に間取りのプランニングを行なえばよいので、間取りのプランニングの自由度を高めることができる。
また、本発明によれば、軸組工法であれば、建物の外壁線よりも内側に設置される構造柱30や耐力壁40の位置を単純化することができ、これにより、軸組の本数などが経済的な構造体を容易に実現できる。
また、本発明によれば、複雑な間取りを単純化された構造体で実現することができる。
また、本発明によれば、複数階の建物において、各階の第１基本線10の位置を、水平面に投影したときに互いに重なるように設定しておけば、建物の外壁線よりも内側における構造柱30の位置を、同一の第１基本線10上に集約でき、さらに、建物の外壁線よりも内側における構造柱30の位置を各階で一致させれば、梁背を低く抑えることができる。
【００１４】
加えて、外壁線と基本線との間の寸法を適切に設定しておけば、一定のルールの中でも自由設計が可能となり、顧客の多様なニーズに応えつつも、設計の効率性を高めることができるのである。
例えば、外壁線と基本線との間の寸法を、１８００ｍｍに設定する。そして、１８００ｍｍある外壁線と基本線との間に、浴室や洗面脱衣室74を配置する。そうすると、一般的に介助空間として求められる、１８００ｍｍ×１８００ｍｍという広さを守りながら、浴室や洗面脱衣室74を配置することができることとなる。換言すれば、このように、１８００ｍｍ×１８００ｍｍという広さの浴室や洗面脱衣室74を配置することができるように、第１基本線10の位置を設定することができる。
【００１５】
（請求項２）
請求項２記載の発明は、請求項１記載の発明を限定したものであって、建物の外壁線よりも内側に、外壁線と平行でかつ第１基本線10と直交する少なくとも１の第２基本線20があらかじめ設定され、第１基本線10および第２基本線20を総称して基本線とし、外壁線よりも内側においては、構造柱30、耐力壁40、または構造柱30および耐力壁40が、基本線上にのみ設置されていることを特徴とする。
ここで、「第２基本線20」とは、建物の外壁線よりも内側に、外壁線と平行でかつ第１基本線10と直交するように、あらかじめ設定される線をいう。また、第２基本線20は、少なくとも１つ設定される。つまり、第２基本線20は、最低１本は設定されるものである。また、第２基本線20は、最低１本設定されればよく、したがって、２本以上設定してもよい。つまり、例えば、２本の第２基本線20を平行に設けてもよい。また、第２基本線20は、直線状にすることができるが、直線状に限られるものではなく、例えば、外壁線と平行であれば、折れ線状にしてもよい。つまり、平面視矩形の外壁線を有する建物の室内側に、「Ｌ」字形に折れ曲がった折れ線状の第２基本線20を設定することもできる。
【００１６】
また、「基本線」とは、第１基本線10および第２基本線20の総称である。
そして、本発明では、外壁線よりも内側においては、構造柱30、耐力壁40、または構造柱30および耐力壁40が、基本線上にのみ設置されている。
また、「構造柱30、耐力壁40、または構造柱30および耐力壁40が、基本線上にのみ設置されている」とは、基本線上には、構造柱30のみが設置されることもあれば、耐力壁40のみが設置されることもあれば、構造柱30および耐力壁40の双方が設置されることもある、ということを意味するものである。
より具体的には、「構造柱30、耐力壁40、または構造柱30および耐力壁40が、基本線上にのみ設置されている」とは、
（１）「設置されるのが構造柱30のみであり、その設置位置が第１基本線10上のみ」というパターンと、
（２）「設置されるのが構造柱30のみであり、その設置位置が第２基本線20上のみ」というパターンと、
（３）「設置されるのが構造柱30のみであり、その設置位置が第１基本線10および第２基本線20上の双方」というパターンと、
（４）「設置されるのが耐力壁40のみであり、その設置位置が第１基本線10上のみ」というパターンと、
（５）「設置されるのが耐力壁40のみであり、その設置位置が第２基本線20上のみ」というパターンと、
（６）「設置されるのが耐力壁40のみであり、その設置位置が第１基本線10および第２基本線20上の双方」というパターンと、
（７）「設置されるのが構造柱30および耐力壁40の双方であり、その設置位置が第１基本線10上のみ」というパターンと、
（８）「設置されるのが構造柱30および耐力壁40の双方であり、その設置位置が第２基本線20上のみ」というパターンと、
（９）「設置されるのが構造柱30および耐力壁40の双方であり、その設置位置が第１基本線10および第２基本線20上の双方」というパターンと、を含むものである。
【００１７】
さらに、「設置されるのが構造柱30および耐力壁40の双方であり、その設置位置が第１基本線10および第２基本線20上の双方」というパターンには、
（Ａ）「第１基本線10上には構造柱30のみが設置され、第２基本線20上には耐力壁40のみが設置される」というパターンと、
（Ｂ）「第１基本線10上には構造柱30のみが設置され、第２基本線20上には構造柱30および耐力壁40の双方が設置される」というパターンと、
（Ｃ）「第１基本線10上には耐力壁40のみが設置され、第２基本線20上には構造柱30のみが設置される」というパターンと、
（Ｄ）「第１基本線10上には耐力壁40のみが設置され、第２基本線20上には構造柱30および耐力壁40の双方が設置される」というパターンと、
（Ｅ）「第１基本線10上には構造柱30および耐力壁40の双方が設置され、第２基本線20上には構造柱30のみが設置される」というパターンと、
（Ｆ）「第１基本線10上には構造柱30および耐力壁40の双方が設置され、第２基本線20上には耐力壁40のみが設置される」というパターンと、
（Ｇ）「第１基本線10上には構造柱30および耐力壁40の双方が設置され、第２基本線20上にも構造柱30および耐力壁40の双方が設置される」というパターンと、が含まれる。
【００１８】
つまり、本発明では、外壁線よりも内側においては、つまり、建物の室内側においては、第１基本線10および第２基本線20上にのみ、構造柱30、耐力壁40、または構造柱30および耐力壁40が設置される。さらに言えば、外壁線よりも内側であって、第１基本線10および第２基本線20から外れた位置には、構造柱30も耐力壁40も設置されない。また、外壁線よりも内側であって、第１基本線10および第２基本線20から外れた位置には、耐力壁40ではない間仕切り壁や、間仕切り壁を支持するためのものであって構造柱30ではない柱などについては、設置してもよい。また、本発明に係る建物では、建物の外壁線上にも、構造柱30、および耐力壁40が設置される。そして、本発明に係る建物は、外壁線上に設置された構造柱30および耐力壁40と、第１基本線10および第２基本線20上に設置された構造柱30、耐力壁40、または構造柱30および耐力壁40とによって、建築基準法上十分な耐震性能が発揮されるように、構造計算に基づいた設計が行なわれ、そして、その設計に従って施工されるのである。
【００１９】
本発明によれば、個別具体的な間取りのプランニングの前に、建物の外壁線よりも内側に、外壁線と平行な少なくとも１の第１基本線10と、外壁線と平行でかつ第１基本線10と直交する少なくとも１の第２基本線20が、あらかじめ設定されている。そして、間取りは、第１基本線10および第２基本線20があることを前提にプランニングされる。そして、建物の外壁線上に設置された構造柱30および耐力壁40と、第１基本線10および第２基本線20上に設置された構造柱30、耐力壁40、または構造柱30および耐力壁40とによって、建築基準法上十分な耐震性能を発揮するように、構造計算に基づいた設計が行なわれ、その設計に従って建物が施工される。
【００２０】
本発明では、請求項１記載の発明と比較すると、第２基本線20を設定した分、間取りの自由度は制限されるものの、建物の外壁線よりも内側における、構造柱30や耐力壁40を設置してもよい位置が増える。しかも、第２基本線20が第１基本線10と直交することから、Ｘ方向およびＹ方向のいずれの方向の耐力を負担する耐力壁40であっても、建物の外壁線よりも内側に設置することができる。したがって、建築基準法上十分な耐震性能を発揮するような設計がしやすくなる。
（請求項３）
請求項３記載の発明は、請求項２記載の発明を限定したものであって、第１基本線10と第２基本線20との交点に、構造柱30が設置されていることを特徴とする。
【００２１】
第１基本線10および第２基本線20上に構造柱30や耐力壁40が設置されるということは、第１基本線10および第２基本線20のそれぞれに沿って梁が設置されるということである。そして、第１基本線10と第２基本線20との交点とは、つまり、第１基本線10に沿って設置される梁と、第２基本線20に沿って設置される梁との交点を意味するものである。このように、直交する両梁の交点に構造柱30を設置することにより、少ない構造柱30で最大限の耐震性能を発揮させることができるのである。
（請求項４）
請求項４記載の発明は、請求項１、２または３記載の発明を限定したものであって、第１基本線10および第２基本線20を総称して基本線とし、外壁線と基本線との間に、設備空間70または吹抜け空間80が配置されていることを特徴とする。
【００２２】
ここで、「設備空間70」とは、例えば、キッチン71や、ユニットバス72や、トイレ73や、洗面脱衣室74などの設備が設けられる空間をいう。
また、「吹抜け空間80」とは、上層階と下層階との間に床や天井が設けられずに吹き抜けになった空間をいう。
このように、外壁線および基本線上にのみ、構造柱30や耐力壁40を配置するとともに、外壁線と基本線との間に、設備空間70または吹抜け空間80を配置することにより、複雑な躯体設計の手順を踏むことなく、設備空間70や吹抜け空間80の配置計画を容易に行なうことができる。
【００２３】
（請求項５）
請求項５記載の発明は、請求項１、２、３または４記載の発明を限定したものであって、第１基本線10および第２基本線20を総称して基本線とし、基本線上に設置されている耐力壁40が、基本線上に設置されている非耐力壁50とは区別可能に形成されていることを特徴とする。
ここで、「耐力壁40と非耐力壁50とを区別可能」にするには、例えば、以下に示すような技術・方法を採用することができる。
例えば、耐力壁40と非耐力壁50とで、壁の厚さを変える。具体的には、耐力壁40の厚さを、非耐力壁50の厚さよりも厚くする。逆に、耐力壁40の厚さを、非耐力壁50の厚さよりも薄くする。このようにして、耐力壁40と非耐力壁50とを区別可能にすることができる。
【００２４】
また、例えば、耐力壁40と非耐力壁50とで、壁の表面の仕上げを変える。このようにして、耐力壁40と非耐力壁50とを区別可能にすることができる。
また、例えば、耐力壁40と非耐力壁50とで、電磁気的な性質を変える。具体的には、耐力壁40の内部に、磁石または電流に感応するように、金属板、金属線または金属コイル等を設けるとともに、非耐力壁50の内部には、前述したような、金属板、金属線または金属コイル等を設けないようにする。逆に、非耐力壁50の内部に、磁石または電流に感応するように、金属板、金属線または金属コイル等を設けるとともに、耐力壁40の内部には、前述したような、金属板、金属線または金属コイル等を設けないようにする。このようにして、耐力壁40と非耐力壁50とを区別可能にすることができる。
【００２５】
上述したように、基本線の位置さえ明らかになれば、基本線から外れた位置に配置されている柱や壁は構造柱30や耐力壁40ではないことが明らかになる。そして、本発明によれば、基本線上の壁について、耐力壁40か非耐力壁50かの区別が容易につくことから、いずれの壁が取り外し可能かがすぐにわかるので、建築後のリフォームでの間取り変更がしやすくなる。
（請求項６）
請求項６記載の発明は、建物の設計方法に係るものであって、建物の外壁線よりも内側に、外壁線と平行な少なくとも１の第１基本線10をあらかじめ設定し、外壁線よりも内側においては、建物の構造上必要な柱である構造柱30、耐力壁40、または構造柱30および耐力壁40を、第１基本線10上にのみ配置するようにしたことを特徴とする。
【００２６】
本発明によれば、請求項１記載の発明と同様の効果が得られる。
【発明の効果】
【００２７】
本発明によれば、基本区画やキッチン等の配置をあらかじめ決定しておかなくても、施主の多様な要望を取り入れつつ、構造柱や耐力壁の配置を含めて全体として調和がとれた建物を、基本的な知識を有する設計者であれば、効率的に設計することができる建物およびその設計方法を提供できる。
【発明を実施するための最良の形態】
【００２８】
（第１の実施の形態）
図１ないし図３は、本発明の第１の実施の形態を示すものである。
図１は、第１の実施の形態に係る建物の１階のプランを示す平面図、図２は、第１の実施の形態に係る建物の２階のプランＡを示す平面図、図３は、第１の実施の形態に係る建物の２階のプランＢを示す平面図である。
（建物）
本実施の形態に係る建物は、外壁線よりも内側に、外壁線と平行な１本の第１基本線10があらかじめ設定され、外壁線よりも内側においては、建物の構造上必要な柱である構造柱30、および耐力壁40が、第１基本線10上にのみ設置されているものである。
【００２９】
また、本実施の形態に係る建物は、外壁線と第１基本線10との間に、設備空間70が配置されている。
また、本実施の形態に係る建物は、外壁線よりも内側に、外壁線と平行な１本の第１基本線10をあらかじめ設定し、外壁線よりも内側においては、建物の構造上必要な柱である構造柱30、および耐力壁40を、第１基本線10上にのみ配置する、という設計方法によって設計され、そして、その設計にしたがって施工されたものである。
また、本実施の形態では、図１ないし図３に示すように、第１基本線10があらかじめ設定されており、この第１基本線10があることを前提に、間取りのプランニングが行なわれるものであり、また、間取りのプランニングの前に、構造壁の位置と耐力壁40の位置とを決めることができるようにしているものである。
【００３０】
（１階のプラン）
まずは、図１に基づいて、１階のプランについて説明する。
図１に示すように、建物の１階の外周部分は、平面視矩形とされている。
また、図示しないが、建物の１階の外壁線に沿って基礎が設けられ、この基礎の上に土台が設けられ、また、この土台の上方に、この土台と平行に、２階の床梁が設けられ、また、土台と２階の床梁との間に、構造柱30や間柱が設置されるとともに、耐力壁40や非耐力壁50が設置されている。また、この構造柱30は、土台の上に立設されており、２階の床梁を支えている。
【００３１】
また、図１に示すように、上側および下側の外壁線と平行に、第１基本線10が設定されている。つまり、左右方向に延びるように、第１基本線10が設定されている。また、図示しないが、第１基本線10に沿って基礎が設けられ、この基礎の上に土台が設けられ、また、この土台の上方に、この土台と平行に、２階の床梁が設けられ、また、土台と２階の床梁との間に、構造柱30が設置されている。また、この構造柱30は、土台の上に立設されており、２階の床梁を支えている。
また、第１基本線10とは、建物の外壁線よりも内側に、外壁線と平行に、あらかじめ設定される線をいう。
【００３２】
また、構造柱30とは、建物の構造上必要な柱をいう。また、建物の構造上必要な柱とは、この柱がなければ建物として成り立たない、そのような柱を意味するものである。つまり、建物の構造上必要な柱とは、その建物になくてはならない柱を意味するものであり、リフォームで間取りを変更する際にあっても、決して取り除くことができない柱を意味するものである。
また、耐力壁40とは、建物に加わる水平方向の外力に対する耐力を負担する壁をいう。
また、図１に示すように、建物の１階の外壁線上には、複数の構造柱30が設置され、また、複数の耐力壁40が設置され、また、複数の非耐力壁50が設置され、また、複数の開口60が設けられている。
【００３３】
具体的には、図１に示すように、上側の外壁線上には、８本の構造柱30が設けられている。なお、上側の外壁線上における、左右両端の構造柱30は、左右両側の外壁線上の構造柱30と共用である。また、上側の外壁線上には、３つの耐力壁40が設置されている。また、上側の外壁線上には、２つの非耐力壁50が設けられている。また、上側の外壁線上には、３つの開口60が設けられ、各開口60には、それぞれ、窓が設置されている。
また、図１に示すように、右側の外壁線上には、７本の構造柱30が設けられている。なお、右側の外壁線上における、上から２番目の構造柱30は、上側の外壁線上の構造柱30と共用であり、また、下から２番目の構造柱30は、下側の外壁線上の構造柱30と共用である。また、右側の外壁線上には、３つの耐力壁40が設けられている。また、右側の外壁線上には、３つの非耐力壁50が設けられている。また、右側の外壁線上には、靴入れが設けられているが、これは設計上は開口60と同じ扱いとなっているものである。
【００３４】
また、図１に示すように、下側の外壁線上には、７本の構造柱30が設けられている。なお、下側の外壁線上における、左右両端の構造柱30は、左右両側の外壁線上の構造柱30と共用である。また、下側の外壁線上には、３つの耐力壁40が設けられている。また、下側の外壁線上には、３つの開口60が設けられ、右側の開口60には、玄関が、残り２つの開口60には、それぞれ、窓が設置されている。
また、図１に示すように、左側の外壁線上には、６本の構造柱30が設けられている。なお、左側の外壁線上における、上下両端の構造柱30は、上下両側の外壁線上の構造柱30と共用である。また、左側の外壁線上には、３つの耐力壁40が設けられている。また、左側の外壁線上には、１つの非耐力壁50が設けられている。また、左側の外壁線上には、２つの開口60が設けられ、各開口60には、それぞれ、窓が設置されている。
【００３５】
また、図１に示すように、第１基本線10上には、４本の構造柱30が設けられている。なお、４本の構造柱30のうち、左右両端の構造柱30は、左右両側の外壁線上の構造柱30と共用である。つまり、第１基本線10と右側の外壁線との交点に、構造柱30が設けられているとともに、第１基本線10と左側の外壁線との交点にも、構造柱30が設けられており、これらの構造柱30は、左右両側の外壁線上の構造柱30と共用となっているのである。そして、これら４本の構造柱30は、第１基本線10に沿って設けた土台の上に立設されており、第１基本線10に沿って設けた２階の床梁を支持しているのである。また、図１に示すように、建物の外壁線よりも内側においては、つまり、建物の室内側においては、構造柱30が第１基準線上にのみ設置されている。すなわち、建物の外壁線よりも内側であって、第１基準線から外れた位置には、つまり、建物の室内側であって、第１基準線から外れた位置には、構造柱30も耐力壁40も設置されていない。
【００３６】
また、図１に示すように、建物の外壁線よりも内側であって、第１基準線から外れた位置には、つまり、建物の室内側であって、第１基準線から外れた位置には、多数の壁や柱が設置されているが、これらは、耐力壁40ではない間仕切り壁や、間仕切り壁を支持するためのものであって構造柱30ではない柱である。
また、図１に示すように、第１基準線上には、多数の壁や、構造柱30以外の多数の柱が設置されているが、これらも、耐力壁40ではない間仕切り壁や、間仕切り壁を支持するためのものであって構造柱30ではない柱である。
また、本実施の形態では、図１中には符号は付していないが、間仕切り壁は、いずれも非耐力壁である。
【００３７】
また、本実施の形態では、上側の外壁線と第１基本線10との間の寸法を、１８００ｍｍに設定してある。そして、図１に示すように、上側の外壁線と第１基本線10との間に、設備空間70を設けている。具体的には、図１に示すように、上側の外壁線と第１基本線10との間に、設備空間70としての、キッチン71、ユニットバス72、洗面脱衣室74、およびトイレ73を、左から順に設けている。これにより、本実施の形態では、一般的に介助空間として求められる、１８００ｍｍ×１８００ｍｍという広さを守りながら、浴室や洗面脱衣室74を配置している。換言すれば、このように、１８００ｍｍ×１８００ｍｍという広さの浴室や洗面脱衣室74を配置することができるように、第１基本線10の位置を設定している。
【００３８】
また、図１中には符号は付していないが、建物の室内側には、ユニットバス72やトイレ73や洗面脱衣室74の出入口とされる開口が設けられ、これらの開口には、それぞれ、ドアや引き戸などの内部建具が設けられている。
そして、本実施の形態では、外壁線上に設置された構造柱30および耐力壁40と、第１基準線上に設置された構造柱30および耐力壁40とによって、建築基準法上十分な耐震性能が発揮されるように、構造計算に基いた設計が行なわれているのである。
（２階のプランＡ）
次に、図２に基づいて、２階のプランＡについて説明する。
【００３９】
図２に示すように、１階と同様に、建物の２階の外周部分も、平面視矩形とされている。
また、図示しないが、建物の２階の外壁線に沿って２階の床梁が設けられ、また、この２階の床梁の上方に、この２階の床梁と平行に、２階の天井梁が設けられ、また、２階の床梁と２階の天井梁との間に、構造柱30や間柱が設置されるとともに、耐力壁40や非耐力壁50が設置されている。また、この構造柱30は、２階の床梁の上に立設されており、２階の天井梁を支えている。
また、図２に示すように、上側および下側の外壁線と平行に、第１基本線10が設定されている。つまり、左右方向に延びるように、第１基本線10が設定されている。また、２階の第１基本線10の位置は、１階の第１基本線10の位置と一致している。また、本実施の形態では、第１基本線10に沿って２階の床梁が設けられ、また、この２階の床梁の上方に、この２階の床梁と平行に、２階の天井梁（小屋梁）が設けられ、また、２階の床梁と２階の天井梁（小屋梁）との間に、構造柱30が設置されている。また、この構造柱30は、２階の床梁の上に立設されており、２階の天井梁（小屋梁）を支えている。
【００４０】
また、図示しないが、本実施の形態では、屋根は、図１および図２の下側を水上、同上側を水下とする片流れ屋根となっている。具体的には、図１および図２の下側から同上側にかけて、屋根面を支持する垂木が複数本掛けられており、第１基本線10上にある２階の天井梁（小屋梁）が、これらの垂木を支持している。
なお、屋根は、片流れ屋根に限られるものではなく、例えば、一般の在来軸組工法で使われている和小屋の切妻屋根とすることもできる。この場合、例えば、２階の天井梁（小屋梁）の上方に、２階の天井梁（小屋梁）と平行に、棟木を設け、また、２階の天井梁（小屋梁）と棟木との間に、複数の小屋束を立設し、これらの小屋束で、棟木を支えるようにする。つまり、２階の天井梁（小屋梁）の上に、複数の小屋束を立設し、これらの小屋束で、２階の天井梁（小屋梁）の上方に２階の天井梁（小屋梁）と平行に設けた棟木を支えるようにする。そうすると、第１基本線10上に、２階の床梁や２階の天井梁（小屋梁）や棟木や構造柱30や小屋束を集約できることから、構造をシンプルにでき、ひいては設計や施工を容易にできる。
【００４１】
また、図２に示すように、１階と同様に、建物の２階の外壁線上にも、複数の構造柱30が設置され、また、複数の耐力壁40が設置され、また、複数の非耐力壁50が設置され、また、複数の開口60が設けられている。
具体的には、図２に示すように、上側の外壁線上には、８本の構造柱30が設けられている。また、２階の各構造柱30の位置は、１階の各構造柱30の位置と一致している。なお、上側の外壁線上における、左右両端の構造柱30は、左右両側の外壁線上の構造柱30と共用である。また、上側の外壁線上には、３つの耐力壁40が設置されている。また、上側の外壁線上には、２つの非耐力壁50が設けられている。また、上側の外壁線上には、２つの開口60が設けられ、各開口60には、それぞれ、窓が設置されている。
【００４２】
また、図２に示すように、右側の外壁線上には、７本の構造柱30が設けられている。また、２階の各構造柱30の位置は、１階の各構造柱30の位置と一致している。なお、右側の外壁線上における、上から２番目の構造柱30は、上側の外壁線上の構造柱30と共用であり、また、下から２番目の構造柱30は、下側の外壁線上の構造柱30と共用である。また、右側の外壁線上には、３つの耐力壁40が設けられている。また、右側の外壁線上には、３つの非耐力壁50が設けられている。
また、図２に示すように、下側の外壁線上には、９本の構造柱30が設けられている。また、これら９本のうち７本の各構造柱30の位置は、１階の各構造柱30の位置と一致している。なお、下側の外壁線上における、左右両端の構造柱30は、左右両側の外壁線上の構造柱30と共用である。また、下側の外壁線上には、３つの耐力壁40が設けられている。また、下側の外壁線上には、４つの開口60が設けられ、各開口60には、それぞれ、窓が設置されている。
【００４３】
また、図２に示すように、左側の外壁線上には、６本の構造柱30が設けられている。また、２階の各構造柱30の位置は、１階の各構造柱30の位置と一致している。なお、左側の外壁線上における、上下両端の構造柱30は、上下両側の外壁線上の構造柱30と共用である。また、左側の外壁線上には、３つの耐力壁40が設けられている。また、左側の外壁線上には、２つの非耐力壁50が設けられている。また、左側の外壁線上には、１つの開口60が設けられ、この開口60には、窓が設置されている。
また、図２に示すように、第１基本線10上には、４本の構造柱30が設けられている。なお、４本の構造柱30のうち、左右両端の構造柱30は、左右両側の外壁線上の構造柱30と共用である。つまり、第１基本線10と右側の外壁線との交点に、構造柱30が設けられているとともに、第１基本線10と左側の外壁線との交点にも、構造柱30が設けられており、これらの構造柱30は、左右両側の外壁線上の構造柱30と共用となっているのである。そして、これら４本の構造柱30は、第１基本線10に沿って設けた２階の床梁の上に立設されており、第１基本線10に沿って設けた２階の天井梁（小屋梁）を支持しているのである。また、本実施の形態では、室内側の２本の各構造柱30の位置は、１階の各構造柱30の位置とは一致していない。また、図２に示すように、建物の外壁線よりも内側においては、つまり、建物の室内側においては、構造柱30が第１基準線上にのみ設置されている。すなわち、建物の外壁線よりも内側であって、第１基準線から外れた位置には、つまり、建物の室内側であって、第１基準線から外れた位置には、構造柱30も耐力壁40も設置されていない。
【００４４】
また、図２に示すように、本実施の形態では、１階と２階とを連通させる、吹抜け空間80が設けられている。
そして、本実施の形態では、外壁線上に設置された構造柱30および耐力壁40と、第１基準線上に設置された構造柱30および耐力壁40とによって、建築基準法上十分な耐震性能が発揮されるように、構造計算に基いた設計が行なわれているのである。
（２階のプランＢ）
また、２階の間取りについては、図２に示すプランＡに代えて、図３に示すプランＢのようにすることもできる。
【００４５】
以下、図３に基づいて、２階のプランＢについて説明する。
プランＢは、外壁線の位置、および第１基本線10の位置については、プランＡと同様である。プランＢは、プランＡとは、間取りが異なるものである。
また、プランＢでも、プランＡと同様に、建物の２階の外壁線に沿って２階の床梁が設けられ、また、この２階の床梁の上方に、この２階の床梁と平行に、２階の天井梁（小屋梁）が設けられ、また、２階の床梁と２階の天井梁（小屋梁）との間に、構造柱30や間柱が設置されるとともに、耐力壁40や非耐力壁50が設置されている。また、この構造柱30は、２階の床梁の上に立設されており、２階の天井梁（小屋梁）を支えている。
【００４６】
また、屋根の構造についても、プランＢは、プランＡと同様である。
また、図３に示すように、上側および下側の外壁線と平行に、第１基本線10が設定されている。つまり、左右方向に延びるように、第１基本線10が設定されている。また、２階の第１基本線10の位置は、１階の第１基本線10の位置と一致している。
また、図３に示すように、上側の外壁線上には、８本の構造柱30が設けられている。また、２階の各構造柱30の位置は、１階の各構造柱30の位置と一致している。なお、上側の外壁線上における、左右両端の構造柱30は、左右両側の外壁線上の構造柱30と共用である。また、上側の外壁線上には、３つの耐力壁40が設置されている。また、上側の外壁線上には、３つの非耐力壁50が設けられている。また、上側の外壁線上には、３つの開口60が設けられ、各開口60には、それぞれ、窓が設置されている。
【００４７】
また、図３に示すように、右側の外壁線上には、７本の構造柱30が設けられている。また、２階の各構造柱30の位置は、１階の各構造柱30の位置と一致している。なお、右側の外壁線上における、上から２番目の構造柱30は、上側の外壁線上の構造柱30と共用であり、また、下から２番目の構造柱30は、下側の外壁線上の構造柱30と共用である。また、右側の外壁線上には、３つの耐力壁40が設けられている。また、右側の外壁線上には、３つの非耐力壁50が設けられている。
また、図３に示すように、下側の外壁線上には、９本の構造柱30が設けられている。また、これら９本のうち７本の各構造柱30の位置は、１階の各構造柱30の位置と一致している。なお、下側の外壁線上における、左右両端の構造柱30は、左右両側の外壁線上の構造柱30と共用である。また、下側の外壁線上には、３つの耐力壁40が設けられている。また、下側の外壁線上には、２つの非耐力壁50が設けられている。また、下側の外壁線上には６つの開口60が設けられ、各開口60には、それぞれ、窓が設置されている。
【００４８】
また、図３に示すように、左側の外壁線上には、６本の構造柱30が設けられている。また、２階の各構造柱30の位置は、１階の各構造柱30の位置と一致している。なお、左側の外壁線上における、上下両端の構造柱30は、上下両側の外壁線上の構造柱30と共用である。また、左側の外壁線上には、３つの耐力壁40が設けられている。また、左側の外壁線上には、２つの非耐力壁50が設けられている。また、左側の外壁線上には、２つの開口60が設けられ、各開口60には、それぞれ、窓が設置されている。
また、図３に示すように、本実施の形態では、第１基本線10上には、４本の構造柱30が設けられている。なお、４本の構造柱30のうち、左右両端の構造柱30は、左右両側の外壁線上の構造柱30と共用である。つまり、第１基本線10と右側の外壁線との交点に、構造柱30が設けられているとともに、第１基本線10と左側の外壁線との交点にも、構造柱30が設けられており、これらの構造柱30は、左右両側の外壁線上の構造柱30と共用となっているのである。そして、これら４本の構造柱30は、第１基本線10に沿って設けた２階の床梁の上に立設されており、第１基本線10に沿って設けた２階の天井梁（小屋梁）を支持しているのである。また、本実施の形態では、室内側の２本の各構造柱30の位置は、１階の各構造柱30の位置とは一致していない。また、図３に示すように、建物の外壁線よりも内側においては、つまり、建物の室内側においては、構造柱30が第１基準線上にのみ設置されている。すなわち、建物の外壁線よりも内側であって、第１基準線から外れた位置には、つまり、建物の室内側であって、第１基準線から外れた位置には、構造柱30も耐力壁40も設置されていない。
【００４９】
また、図３に示すように、建物の外壁線よりも内側であって、第１基準線から外れた位置には、つまり、建物の室内側であって、第１基準線から外れた位置には、多数の壁や柱が設置されているが、これらは、耐力壁40ではない間仕切り壁や、間仕切り壁を支持するためのものであって構造柱30ではない柱である。
また、図３に示すように、第１基準線上には、多数の壁や、構造柱30以外の多数の柱が設置されているが、これらも、耐力壁40ではない間仕切り壁や、間仕切り壁を支持するためのものであって構造柱30ではない柱である。
また、本実施の形態では、図３中には符号は付していないが、間仕切り壁は、いずれも非耐力壁である。
【００５０】
また、図３中には符号は付していないが、建物の室内側には、各部屋の出入口とされる開口が設けられ、これらの開口には、それぞれ、ドアなどの内部建具が設けられている。
そして、本実施の形態では、外壁線上に設置された構造柱30および耐力壁40と、第１基準線上に設置された構造柱30および耐力壁40とによって、建築基準法上十分な耐震性能が発揮されるように、構造計算に基いた設計が行なわれているのである。
（作用・効果）
本実施の形態では、個別具体的な間取りのプランニングの前に、建物の外壁線よりも内側に、外壁線と平行な、少なくとも１の第１基本線10が、あらかじめ設定されている。そして、間取りは、第１基本線10があることを前提にプランニングされる。そして、建物の外壁線上に設置された構造柱30および耐力壁40と、第１基本線10上に設置された構造柱30、耐力壁40、または構造柱30および耐力壁40とによって、建築基準法上十分な耐震性能を発揮するように、構造計算に基づいた設計が行なわれる。そして、その設計に従って建物が施工される。
【００５１】
このため、本実施の形態では、室内側における構造柱30や耐力壁40の位置を、第１基本線10上に集約することができるので、間取りをあらかじめ決定しておかなくても、施主の多様な要望を取り入れつつ、構造柱30や耐力壁40の配置を含めて全体として調和がとれた建物を効率的に設計できるのである。
また、本実施の形態では、第１基本線10の位置さえ明らかになれば、第１基本線10から外れた位置に配置されている柱や壁は構造柱30や耐力壁40ではないことが明らかになり、これにより、どの柱や壁が取り外し可能かがすぐにわかるので、建築後のリフォームでの間取り変更がしやすくなる。
【００５２】
また、本実施の形態では、たとえ間取りが決まらなくても、構造柱30の位置と耐力壁40の位置とを決めることができるので、例えば、部屋にすることを予定していた位置を後で吹抜け空間80にするように変更したとしても、構造柱30や耐力壁40の位置を見直して構造計算をやり直さなくても済むので、設計変更も容易に行なうことができる。
また、本実施の形態では、第１基本線10があることを前提に間取りのプランニングを行なえばよいので、間取りのプランニングの自由度を高めることができる。
また、本実施の形態では、建物の外壁線よりも内側に設置される構造柱30や耐力壁40の位置を単純化することができ、これにより、軸組の本数などが経済的な構造体を容易に実現できる。
【００５３】
また、本実施の形態では、複雑な間取りを単純化された構造体で実現することができる。
また、本実施の形態では、複数階の建物において、各階の第１基本線10の位置を、水平面に投影したときに互いに重なるように設定してあるので、建物の外壁線よりも内側における構造柱30の位置を、同一の第１基本線10上に集約できる。
また、本実施の形態では、上側の外壁線と第１基本線10との間の寸法を適切に設定してあるので、一定のルールの中でも自由設計が可能となり、顧客の多様なニーズに応えつつも、設計の効率性を高めることができるのである。具体的には、上述したように、上側の外壁線と第１基本線10との間の寸法を、１８００ｍｍに設定してある。そして、１８００ｍｍある上側の外壁線と第１基本線10との間に、浴室や洗面脱衣室74を配置してある。このため、一般的に介助空間として求められる、１８００ｍｍ×１８００ｍｍという広さを守りながら、浴室や洗面脱衣室74を配置することができるのである。
【００５４】
（第２の実施の形態）
図４ないし図９は、本発明の第２の実施の形態を示すものである。
図４は、第２の実施の形態に係る建物の１階のプランＡを示す平面図、図５は、第２の実施の形態に係る建物の２階のプランＡを示す平面図、図６は、第２の実施の形態に係る建物の１階のプランＢを示す平面図、図７は、第２の実施の形態に係る建物の１階のプランＣを示す平面図、図８は、第２の実施の形態に係る建物の２階のプランＢを示す平面図、図９は、第２の実施の形態に係る建物の２階のプランＣを示す平面図である。
（建物）
本実施の形態に係る建物は、外壁線よりも内側に、外壁線と平行な１本の第１基本線10があらかじめ設定されているとともに、外壁線と平行でかつ第１基本線10と直交する１本の第２基本線20があらかじめ設定されている。そして、第１基本線10と第２基本線20とを総称して基本線とすると、外壁線よりも内側においては、建物の構造上必要な柱である構造柱30、および耐力壁40が、基本線上にのみ設置されているものである。
【００５５】
また、本実施の形態に係る建物は、第１基本線10と第２基本線20との交点に、構造柱30が設置されている。
また、本実施の形態に係る建物は、外壁線と基本線としての第１基本線10との間に、設備空間70が配置されている。
また、本実施の形態に係る建物は、基本線上に設置されている耐力壁40が、基本線上に設置されている非耐力壁50とは、区別可能に形成されている。
また、本実施の形態に係る建物は、外壁線よりも内側に、外壁線と平行な１本の第１基本線10をあらかじめ設定するとともに、外壁線と平行でかつ第１基本線10と直交する１本の第２基本線20をあらかじめ設定し、第１基本線10と第２基本線20とを総称して基本線とし、外壁線よりも内側においては、建物の構造上必要な柱である構造柱30、および耐力壁40を、基本線上にのみ配置する、という設計方法によって設計され、そして、その設計にしたがって施工されたものである。
【００５６】
また、本実施の形態では、図４ないし図９に示すように、第１基本線10および第２基本線20があらかじめ設定されており、この第１基本線10および第２基本線20があることを前提に、間取りのプランニングが行なわれるものであり、また、間取りのプランニングの前に、構造壁の位置と耐力壁40の位置とを決めることができるようにしているものである。
（１階のプランＡ）
まずは、図４に基づいて、１階のプランＡについて説明する。
図４に示すように、建物の１階の外周部分は、平面視矩形とされている。
また、図示しないが、建物の１階の外壁線に沿って基礎が設けられ、この基礎の上に土台が設けられ、また、この土台の上方に、この土台と平行に、２階の床梁が設けられ、また、土台と２階の床梁との間に、構造柱30や間柱が設置されるとともに、耐力壁40や非耐力壁50が設置されている。また、この構造柱30は、土台の上に立設されており、２階の床梁を支えている。
【００５７】
また、図４に示すように、上側および下側の外壁線と平行に、第１基本線10が設定されている。つまり、左右方向に延びるように、第１基本線10が設定されている。また、図４に示すように、右側および左側の外壁線と平行に、そして、第１基本線10と直交するように、第２基本線20が設定されている。つまり、上下方向に延びるように、第２基本線20が設定されている。また、図示しないが、第１基本線10および第２基本線20に沿って基礎が設けられ、この基礎の上に土台が設けられ、また、この土台の上方に、この土台と平行に、２階の床梁が設けられ、また、土台と２階の床梁との間に、構造柱30が設置されている。また、この構造柱30は、土台の上に立設されており、２階の床梁を支えている。また、１の構造柱30は、第１基本線10と第２基本線20との交点に立設されている。
【００５８】
また、第２基本線20とは、建物の外壁線よりも内側に、外壁線と平行でかつ第１基本線10と直交するように、あらかじめ設定される線をいう。
また、第１基本線10、構造柱30、および耐力壁40については、第１の実施の形態と同様である。
また、図４に示すように、建物の１階の外壁線上には、複数の構造柱30が設置され、また、複数の耐力壁40が設置され、また、複数の非耐力壁50が設置され、また、複数の開口60が設けられている。
具体的には、図４に示すように、上側の外壁線上には、１０本の構造柱30が設けられている。なお、上側の外壁線上における、左端の構造柱30と、右から２番目の構造柱30とは、左右両側の外壁線上の構造柱30と共用である。また、上側の外壁線上には、４つの耐力壁40が設置されている。また、上側の外壁線上には、３つの非耐力壁50が設けられている。また、上側の外壁線上には、３つの開口60が設けられ、各開口60には、それぞれ、窓が設置されている。
【００５９】
また、図４に示すように、右側の外壁線上には、６本の構造柱30が設けられている。なお、右側の外壁線上における、上下両端の構造柱30は、上下両側の外壁線上の構造柱30と共用である。また、右側の外壁線上には、３つの耐力壁40が設けられている。また、右側の外壁線上には、２つの開口60が設けられ、上側の開口60には、玄関が、下側の開口60には、窓が、それぞれ設置されている。
また、図４に示すように、下側の外壁線上には、１０本の構造柱30が設けられている。なお、下側の外壁線上における、左端の構造柱30と、右から２番目の構造柱30とは、左右両側の外壁線上の構造柱30と共用である。また、下側の外壁線上には、５つの耐力壁40が設けられている。また、下側の外壁線上には、２つの非耐力壁50が設けられている。また、下側の外壁線上には、３つの開口60が設けられ、各開口60には、それぞれ、窓が設置されている。
【００６０】
また、図４に示すように、左側の外壁線上には、６本の構造柱30が設けられている。なお、左側の外壁線上における、上下両端の構造柱30は、上下両側の外壁線上の構造柱30と共用である。また、左側の外壁線上には、４つの耐力壁40が設けられている。また、左側の外壁線上には、２つの非耐力壁50が設けられている。また、左側の外壁線上には、１つの開口60が設けられ、この開口60には、窓が設置されている。
また、図４に示すように、第１基本線10上には、４本の構造柱30が設けられ、また、第２基本線20上にも、４本の構造柱30が設けられている。また、第２基本線20上には、１つの耐力壁40が設けられている。
【００６１】
なお、第１基本線10上の４本の構造柱30のうち、左右両端の構造柱30は、左右両側の外壁線上の構造柱30と共用である。つまり、第１基本線10と右側の外壁線との交点に、構造柱30が設けられているとともに、第１基本線10と左側の外壁線との交点にも、構造柱30が設けられており、これらの構造柱30は、左右両側の外壁線上の構造柱30と共用となっているのである。
また、第２基本線20上の４本の構造柱30のうち、上下両端の構造柱30は、上下両側の外壁線上の構造柱30と共用である。つまり、第２基本線20と上側の外壁線との交点に、構造柱30が設けられているとともに、第２基本線20と下側の外壁線との交点にも、構造柱30が設けられており、これらの構造柱30は、上下両側の外壁線上の構造柱30と共用となっているのである。
【００６２】
また、第１基本線10上の４本の構造柱30のうち、右から２番目の構造柱30は、第２基本線20上の構造柱30と共用である。すなわち、第２基本線20上の４本の構造柱30のうち、下から２番目の構造柱30は、第１基本線10上の構造柱30と共用である。つまり、第１基本線10と第２基本線20との交点に、構造柱30が設けられているのである。
そして、第１基本線10上の４本の構造柱30は、第１基本線10に沿って設けた土台の上に立設されており、第１基本線10に沿って設けた２階の床梁を支持しているのである。
また、第２基本線20上の４本の構造柱30は、第２基本線20に沿って設けた土台の上に立設されており、第２基本線20に沿って設けた２階の床梁を支持しているのである。
【００６３】
また、第１基本線10と第２基本線20とを総称して基本線とすると、図４に示すように、建物の外壁線よりも内側においては、つまり、建物の室内側においては、構造柱30および耐力壁40が基準線上にのみ設置されている。すなわち、建物の外壁線よりも内側であって、基準線から外れた位置には、つまり、建物の室内側であって、基準線から外れた位置には、構造柱30も耐力壁40も設置されていない。
また、図４に示すように、建物の外壁線よりも内側であって、基準線から外れた位置には、つまり、建物の室内側であって、基準線から外れた位置には、多数の壁や柱が設置されているが、これらは、耐力壁40ではない間仕切り壁や、間仕切り壁を支持するためのものであって構造柱30ではない柱である。
【００６４】
また、図４に示すように、基準線上には、耐力壁40以外の多数の壁や、構造柱30以外の多数の柱が設置されているが、これらも、耐力壁40ではない間仕切り壁や、間仕切り壁を支持するためのものであって構造柱30ではない柱である。
また、本実施の形態では、間仕切り壁のうち、図４中において符号を付していないものは、いずれも非耐力壁である。
また、図４に示すように、基本線としての第２基本線20上には、耐力壁40と非耐力壁50とが設置されているが、この耐力壁40と非耐力壁50とは、区別可能に形成されている。つまり、基本線上に設置されている耐力壁40が、基本線上に設置されている非耐力壁50とは区別可能に形成されている。具体的には、耐力壁40と非耐力壁50とで、壁の厚さを変える。さらに詳しくは、耐力壁40の厚さを、非耐力壁50の厚さよりも厚くする。逆に、耐力壁40の厚さを、非耐力壁50の厚さよりも薄くする。このようにして、耐力壁40と非耐力壁50とを区別可能に形成されている。なお、これ以外にも、例えば、耐力壁40と非耐力壁50とで、壁の表面の仕上げを変える。このようにして、耐力壁40と非耐力壁50とを区別可能にしてもよい。また、例えば、耐力壁40と非耐力壁50とで、電磁気的な性質を変える。さらに詳しくは、耐力壁40の内部に、磁石または電流に感応するように、金属板、金属線または金属コイル等を設けるとともに、非耐力壁50の内部には、前述したような、金属板、金属線または金属コイル等を設けないようにする。逆に、非耐力壁50の内部に、磁石または電流に感応するように、金属板、金属線または金属コイル等を設けるとともに、耐力壁40の内部には、前述したような、金属板、金属線または金属コイル等を設けないようにする。このようにして、耐力壁40と非耐力壁50とを区別可能にしてもよい。
【００６５】
また、本実施の形態では、上側の外壁線と第１基本線10との間の寸法を、１８００ｍｍに設定してある。そして、図４に示すように、上側の外壁線と第１基本線10との間に、設備空間70を設けている。具体的には、図４に示すように、上側の外壁線と第１基本線10との間に、設備空間70としての、ユニットバス72、洗面脱衣室74、およびトイレ73を、左から順に設けている。これにより、本実施の形態では、一般的に介助空間として求められる、１８００ｍｍ×１８００ｍｍという広さを守りながら、浴室や洗面脱衣室74を配置している。換言すれば、このように、１８００ｍｍ×１８００ｍｍという広さの浴室や洗面脱衣室74を配置することができるように、第１基本線10の位置を設定している。
【００６６】
また、図４中には符号は付していないが、建物の室内側には、ユニットバス72やトイレ73や洗面脱衣室74の出入口とされる開口が設けられ、これらの開口には、それぞれ、ドアや引き戸などの内部建具が設けられている。
そして、本実施の形態では、外壁線上に設置された構造柱30および耐力壁40と、基準線（第１基準線および第２基準線）上に設置された構造柱30および耐力壁40とによって、建築基準法上十分な耐震性能が発揮されるように、構造計算に基いた設計が行なわれているのである。
（２階のプランＡ）
次に、図５に基づいて、２階のプランＡについて説明する。
【００６７】
図５に示すように、１階と同様に、建物の２階の外周部分も、平面視矩形とされている。
また、図示しないが、建物の２階の外壁線に沿って２階の床梁が設けられ、また、この２階の床梁の上方に、この２階の床梁と平行に、２階の天井梁が設けられ、また、２階の床梁と２階の天井梁との間に、構造柱30や間柱が設置されるとともに、耐力壁40や非耐力壁50が設置されている。また、この構造柱30は、２階の床梁の上に立設されており、２階の天井梁を支えている。
また、図５に示すように、上側および下側の外壁線と平行に、第１基本線10が設定されている。つまり、左右方向に延びるように、第１基本線10が設定されている。また、図５に示すように、右側および左側の外壁線と平行に、そして、第１基本線10と直交するように、第２基本線20が設定されている。つまり、上下方向に延びるように、第２基本線20が設定されている。また、２階の第１基本線10の位置は、１階の第１基本線10の位置と一致し、また、２階の第２基本線20の位置は、１階の第２基本線20の位置と一致している。
【００６８】
また、本実施の形態では、第１基本線10および第２基本線20に沿って、２階の床梁が設けられている。
また、図示しないが、本実施の形態では、屋根は、図５の右側を水上、同左側を水下とする片流れ屋根となっている。具体的には、第１基本線10に沿って、２階の登り梁が設けられている。この登り梁は、第１基本線10に沿って設けた２階の床梁の上方に設けられており、さらには、片流れ屋根の傾斜に沿って、図５の右側が上方に、同左側が下方になるように、傾斜している。また、第２基本線20に沿って、２階の天井梁（小屋梁）が設けられている。この２階の天井梁（小屋梁）は、第２基本線20に沿って設けた２階の床梁の上方に設けられており、また、登り梁とは異なって水平であり、さらには、登り梁と直交している。また、第１基本線10に沿って設けた２階の床梁の上には、複数の構造柱30が立設されており、これらの構造柱30は、登り梁を支持している。また、第２基本線20に沿って設けた２階の床梁の上にも、複数の構造柱30が立設されており、これらの構造柱30は、２階の天井梁（小屋梁）を支持している。また、第１基本線10と第２基本線20との交点にも、つまり、第１基本線10に沿って設けた２階の床梁と第２基本線20に沿って設けた２階の床梁との交点の上にも、１の構造柱30が立設されており、この構造柱30は、登り梁とともに、この登り梁と直交する２階の天井梁（小屋梁）を支持している。そして、図５の右側から同左側にかけて、屋根面を支持する複数の垂木が掛けられており、登り梁およびこれと直交する天井梁（小屋梁）が、これら複数の垂木を支持している。
【００６９】
なお、屋根は、片流れ屋根に限られるものではなく、例えば、一般の在来軸組工法で使われている和小屋の切妻屋根とすることもできる。この場合、例えば、第１基本線10に沿って２階の床梁を設け、また、この２階の床梁の上方に、この２階の床梁と平行に、２階の天井梁（小屋梁）を設け、また、２階の床梁と２階の天井梁（小屋梁）との間に、構造柱30を設置する。つまり、２階の床梁の上に、構造柱30を立設し、この構造柱30で、２階の天井梁（小屋梁）を支持するようにする。さらに、２階の天井梁（小屋梁）の上方に、２階の天井梁（小屋梁）と平行に、棟木を設け、また、２階の天井梁（小屋梁）と棟木との間に、複数の小屋束を立設し、これらの小屋束で、棟木を支持するようにする。つまり、２階の天井梁（小屋梁）の上に、複数の小屋束を立設し、これらの小屋束で、２階の天井梁（小屋梁）の上方に２階の天井梁（小屋梁）と平行に設けた棟木を支持するようにする。そうすると、第１基本線10上に、２階の床梁や２階の天井梁（小屋梁）や棟木や構造柱30や小屋束を集約できることから、構造をシンプルにでき、ひいては設計や施工を容易にできる。
【００７０】
また、図５に示すように、１階と同様に、建物の２階の外壁線上にも、複数の構造柱30が設置され、また、複数の耐力壁40が設置され、また、複数の非耐力壁50が設置され、また、複数の開口60が設けられている。
具体的には、図５に示すように、上側の外壁線上には、９本の構造柱30が設けられている。また、２階の各構造柱30の位置は、１階の各構造柱30の位置と一致している。なお、上側の外壁線上における、左端の構造柱30と、右から２番目の構造柱30とは、左右両側の外壁線上の構造柱30と共用である。また、上側の外壁線上には、５つの耐力壁40が設置されている。また、上側の外壁線上には、２つの非耐力壁50が設けられている。また、上側の外壁線上には、２つの開口60が設けられ、各開口60には、それぞれ、窓が設置されている。
【００７１】
また、図５に示すように、右側の外壁線上には、５本の構造柱30が設けられている。また、２階の各構造柱30の位置は、１階の各構造柱30の位置と一致している。なお、右側の外壁線上における、上下両端の構造柱30は、上下両側の外壁線上の構造柱30と共用である。また、右側の外壁線上には、３つの耐力壁40が設けられている。また、右側の外壁線上には、３つの開口60が設けられ、各開口60には、それぞれ、窓が設置されている。
また、図５に示すように、下側の外壁線上には、１０本の構造柱30が設けられている。また、２階の各構造柱30の位置は、１階の各構造柱30の位置と一致している。なお、下側の外壁線上における、左端の構造柱30と、右から２番目の構造柱30とは、左右両側の外壁線上の構造柱30と共用である。また、下側の外壁線上には、４つの耐力壁40が設けられている。また、下側の外壁線上には、３つの非耐力壁50が設けられている。また、下側の外壁線上には、４つの開口60が設けられ、各開口60には、それぞれ、窓が設置されている。
【００７２】
また、図５に示すように、左側の外壁線上には、６本の構造柱30が設けられている。また、２階の各構造柱30の位置は、１階の各構造柱30の位置と一致している。なお、左側の外壁線上における、上下両端の構造柱30は、上下両側の外壁線上の構造柱30と共用である。また、左側の外壁線上には、３つの耐力壁40が設けられている。また、左側の外壁線上には、１つの非耐力壁50が設けられている。また、左側の外壁線上には、２つの開口60が設けられ、各開口60には、それぞれ、窓が設置されている。
また、図５に示すように、第１基本線10上には、４本の構造柱30が設けられ、また、第２基本線20上にも、４本の構造柱30が設けられている。また、第２基本線20上には、１つの耐力壁40が設けられている。
【００７３】
なお、第１基本線10上の４本の構造柱30のうち、左右両端の構造柱30は、左右両側の外壁線上の構造柱30と共用である。つまり、第１基本線10と右側の外壁線との交点に、構造柱30が設けられているとともに、第１基本線10と左側の外壁線との交点にも、構造柱30が設けられており、これらの構造柱30は、左右両側の外壁線上の構造柱30と共用となっているのである。
また、第２基本線20上の４本の構造柱30のうち、上下両端の構造柱30は、上下両側の外壁線上の構造柱30と共用である。つまり、第２基本線20と上側の外壁線との交点に、構造柱30が設けられているとともに、第２基本線20と下側の外壁線との交点にも、構造柱30が設けられており、これらの構造柱30は、上下両側の外壁線上の構造柱30と共用となっているのである。
【００７４】
また、第１基本線10上の４本の構造柱30のうち、右から２番目の構造柱30は、第２基本線20上の構造柱30と共用である。すなわち、第２基本線20上の４本の構造柱30のうち、下から２番目の構造柱30は、第１基本線10上の構造柱30と共用である。つまり、第１基本線10と第２基本線20との交点に、構造柱30が設けられているのである。
そして、第１基本線10上の４本の構造柱30は、第１基本線10に沿って設けた２階の床梁の上に立設されており、第１基本線10に沿って設けた登り梁を支持しているのである。
また、第２基本線20上の４本の構造柱30は、第２基本線20に沿って設けた２階の床梁の上に立設されており、第２基本線20に沿って設けた２階の天井梁（小屋梁）を支持しているのである。
【００７５】
また、本実施の形態では、室内側の３本の各構造柱30の位置は、１階の各構造柱30の位置とは一致している。これにより、２階の床梁の梁背を低く抑えることができるようにしているのである。
また、図５に示すように、建物の外壁線よりも内側においては、つまり、建物の室内側においては、構造柱30および耐力壁40が基準線上にのみ設置されている。すなわち、建物の外壁線よりも内側であって、基準線から外れた位置には、つまり、建物の室内側であって、第１基準線から外れた位置には、構造柱30も耐力壁40も設置されていない。
また、図５に示すように、本実施の形態では、１階と２階とを連通させる、吹抜け空間80が設けられている。
【００７６】
そして、本実施の形態では、外壁線上に設置された構造柱30および耐力壁40と、基準線（第１基準線および第２基準線）上に設置された構造柱30および耐力壁40とによって、建築基準法上十分な耐震性能が発揮されるように、構造計算に基いた設計が行なわれているのである。
（１階のプランＢ）
また、１階の間取りについては、図４に示すプランＡに代えて、図６に示すプランＢのようにすることもできる。
以下、図６に基づいて、１階のプランＢについて説明する。
【００７７】
プランＢは、外壁線の位置、第１基本線10、および第２基本線20の位置については、プランＡと同様である。プランＢは、プランＡとは、間取りが異なるものである。
また、プランＢでも、プランＡと同様に、建物の１階の外壁線に沿って土台が設けられ、また、この土台の上方に、この土台と平行に、２階の床梁が設けられ、また、土台と２階の床梁との間に、構造柱30や間柱が設置されるとともに、耐力壁40や非耐力壁50が設置されている。また、この構造柱30は、土台の上に立設されており、２階の床梁を支えている。
また、図６に示すように、上側および下側の外壁線と平行に、第１基本線10が設定されているとともに、右側および左側の外壁線と平行に、そして、第１基本線10と直交するように、第２基本線20が設定されている。
【００７８】
また、図６に示すように、上側の外壁線上には、１０本の構造柱30が設けられている。なお、上側の外壁線上における、左端の構造柱30と、右から２番目の構造柱30とは、左右両側の外壁線上の構造柱30と共用である。また、上側の外壁線上には、４つの耐力壁40が設置されている。また、上側の外壁線上には、３つの非耐力壁50が設けられている。また、上側の外壁線上には、４つの開口60が設けられ、各開口60には、それぞれ、窓が設置されている。
また、図６に示すように、右側の外壁線上には、６本の構造柱30が設けられている。なお、右側の外壁線上における、上下両端の構造柱30は、上下両側の外壁線上の構造柱30と共用である。また、右側の外壁線上には、３つの耐力壁40が設けられている。また、右側の外壁線上には、２つの開口60が設けられ、上側の開口60には、玄関が、下側の開口60には、窓が、それぞれ設置されている。
【００７９】
また、図６に示すように、下側の外壁線上には、１０本の構造柱30が設けられている。なお、下側の外壁線上における、左端の構造柱30と、右から２番目の構造柱30とは、左右両側の外壁線上の構造柱30と共用である。また、下側の外壁線上には、４つの耐力壁40が設けられている。また、下側の外壁線上には、１つの非耐力壁50が設けられている。また、下側の外壁線上には、５つの開口60が設けられ、各開口60には、それぞれ、窓が設置されている。
また、図６に示すように、左側の外壁線上には、６本の構造柱30が設けられている。なお、左側の外壁線上における、上下両端の構造柱30は、上下両側の外壁線上の構造柱30と共用である。また、左側の外壁線上には、４つの耐力壁40が設けられている。また、左側の外壁線上には、１つの開口60が設けられ、この開口60には、窓が設置されている。
【００８０】
また、図６に示すように、第１基本線10上には、４本の構造柱30が設けられ、また、第２基本線20上にも、４本の構造柱30が設けられている。また、第２基本線20上には、１つの耐力壁40が設けられている。
なお、第１基本線10上の４本の構造柱30のうち、左右両端の構造柱30は、左右両側の外壁線上の構造柱30と共用である。この点は、プランＡと同様である。
また、第２基本線20上の４本の構造柱30のうち、上下両端の構造柱30は、上下両側の外壁線上の構造柱30と共用である。この点も、プランＡと同様である。
また、第１基本線10上の４本の構造柱30のうち、右から２番目の構造柱30は、第２基本線20上の構造柱30と共用である。すなわち、第２基本線20上の４本の構造柱30のうち、下から２番目の構造柱30は、第１基本線10上の構造柱30と共用である。つまり、第１基本線10と第２基本線20との交点に、構造柱30が設けられているのである。この点も、プランＡと同様である。
【００８１】
そして、第１基本線10上の４本の構造柱30は、第１基本線10に沿って設けた土台の上に立設されており、第１基本線10に沿って設けた２階の床梁を支持しているのである。
また、第２基本線20上の４本の構造柱30は、第２基本線20に沿って設けた土台の上に立設されており、第２基本線20に沿って設けた２階の床梁を支持しているのである。
また、第１基本線10と第２基本線20とを総称して基本線とすると、図６に示すように、建物の外壁線よりも内側においては、つまり、建物の室内側においては、構造柱30および耐力壁40が基準線上にのみ設置されている。すなわち、建物の外壁線よりも内側であって、基準線から外れた位置には、つまり、建物の室内側であって、基準線から外れた位置には、構造柱30も耐力壁40も設置されていない。
【００８２】
また、図６に示すように、建物の外壁線よりも内側であって、基準線から外れた位置には、つまり、建物の室内側であって、基準線から外れた位置には、多数の壁や柱が設置されているが、これらは、耐力壁40ではない間仕切り壁や、間仕切り壁を支持するためのものであって構造柱30ではない柱である。
また、図６に示すように、基準線上には、耐力壁40以外の多数の壁や、構造柱30以外の多数の柱が設置されているが、これらも、耐力壁40ではない間仕切り壁や、間仕切り壁を支持するためのものであって構造柱30ではない柱である。
また、本実施の形態では、間仕切り壁のうち、図６中において符号を付していないものは、いずれも非耐力壁である。
【００８３】
また、図６に示すように、基本線としての第２基本線20上には、耐力壁40と非耐力壁50とが設置されているが、この耐力壁40と非耐力壁50とは、区別可能に形成されている。つまり、基本線上に設置されている耐力壁40が、基本線上に設置されている非耐力壁50とは区別可能に形成されている。具体的には、プランＡと同様である。
また、本実施の形態では、上側の外壁線と第１基本線10との間の寸法を、１８００ｍｍに設定してある。そして、図６に示すように、上側の外壁線と第１基本線10との間に、設備空間70を設けている。具体的には、図６に示すように、上側の外壁線と第１基本線10との間に、設備空間70としての、ユニットバス72、洗面脱衣室74、およびトイレ73を、左から順に設けている。
【００８４】
また、図６中には符号は付していないが、建物の室内側には、ユニットバス72やトイレ73や洗面脱衣室74の出入口とされる開口が設けられ、これらの開口には、それぞれ、ドアや引き戸などの内部建具が設けられている。
（１階のプランＣ）
また、１階の間取りについては、図４に示すプランＡや、図６に示すプランＢに代えて、図７に示すプランＣのようにすることもできる。
以下、図７に基づいて、１階のプランＣについて説明する。
プランＣは、外壁線の位置、第１基本線10、および第２基本線20の位置については、プランＡやプランＢと同様である。プランＣは、プランＡやプランＢとは、間取りが異なるものである。
【００８５】
また、プランＣでも、プランＡやプランＢと同様に、建物の１階の外壁線に沿って土台が設けられ、また、この土台の上方に、この土台と平行に、２階の床梁が設けられ、また、土台と２階の床梁との間に、構造柱30や間柱が設置されるとともに、耐力壁40や非耐力壁50が設置されている。また、この構造柱30は、土台の上に立設されており、２階の床梁を支えている。
また、図７に示すように、上側および下側の外壁線と平行に、第１基本線10が設定されているとともに、右側および左側の外壁線と平行に、そして、第１基本線10と直交するように、第２基本線20が設定されている。
【００８６】
また、図７に示すように、上側の外壁線上には、１１本の構造柱30が設けられている。なお、上側の外壁線上における、左から２番目の構造柱30と、右から２番目の構造柱30とは、左右両側の外壁線上の構造柱30と共用である。また、上側の外壁線上には、４つの耐力壁40が設置されている。また、上側の外壁線上には、４つの非耐力壁50が設けられている。また、上側の外壁線上には、４つの開口60が設けられ、各開口60には、それぞれ、窓が設置されている。
また、図７に示すように、右側の外壁線上には、６本の構造柱30が設けられている。なお、右側の外壁線上における、上下両端の構造柱30は、上下両側の外壁線上の構造柱30と共用である。また、右側の外壁線上には、３つの耐力壁40が設けられている。また、右側の外壁線上には、２つの開口60が設けられ、各開口60には、それぞれ、窓が設置されている。
【００８７】
また、図７に示すように、下側の外壁線上には、１１本の構造柱30が設けられている。なお、下側の外壁線上における、左端の構造柱30と、右から２番目の構造柱30とは、左右両側の外壁線上の構造柱30と共用である。また、下側の外壁線上には、５つの耐力壁40が設けられている。また、下側の外壁線上には、１つの非耐力壁50が設けられている。また、下側の外壁線上には、４つの開口60が設けられ、各開口60には、それぞれ、窓が設置されている。
また、図７に示すように、左側の外壁線上には、６本の構造柱30が設けられている。なお、左側の外壁線上における、上下両端の構造柱30は、上下両側の外壁線上の構造柱30と共用である。また、左側の外壁線上には、４つの耐力壁40が設けられている。また、左側の外壁線上には、２つの非耐力壁50が設けられている。また、左側の外壁線上には、１つの開口60が設けられ、この開口60には、玄関が設置されている。
【００８８】
また、図７に示すように、第１基本線10上には、４本の構造柱30が設けられ、また、第２基本線20上にも、４本の構造柱30が設けられている。また、第２基本線20上には、１つの耐力壁40が設けられている。
なお、第１基本線10上の４本の構造柱30のうち、左右両端の構造柱30は、左右両側の外壁線上の構造柱30と共用である。この点は、プランＡやプランＢと同様である。
また、第２基本線20上の４本の構造柱30のうち、上下両端の構造柱30は、上下両側の外壁線上の構造柱30と共用である。この点も、プランＡやプランＢと同様である。
また、第１基本線10上の４本の構造柱30のうち、右から２番目の構造柱30は、第２基本線20上の構造柱30と共用である。すなわち、第２基本線20上の４本の構造柱30のうち、下から２番目の構造柱30は、第１基本線10上の構造柱30と共用である。つまり、第１基本線10と第２基本線20との交点に、構造柱30が設けられているのである。この点も、プランＡやプランＢと同様である。
【００８９】
そして、第１基本線10上の４本の構造柱30は、第１基本線10に沿って設けた土台の上に立設されており、第１基本線10に沿って設けた２階の床梁を支持しているのである。
また、第２基本線20上の４本の構造柱30は、第２基本線20に沿って設けた土台の上に立設されており、第２基本線20に沿って設けた２階の床梁を支持しているのである。
また、第１基本線10と第２基本線20とを総称して基本線とすると、図７に示すように、建物の外壁線よりも内側においては、つまり、建物の室内側においては、構造柱30および耐力壁40が基準線上にのみ設置されている。すなわち、建物の外壁線よりも内側であって、基準線から外れた位置には、つまり、建物の室内側であって、基準線から外れた位置には、構造柱30も耐力壁40も設置されていない。
【００９０】
また、図７に示すように、建物の外壁線よりも内側であって、基準線から外れた位置には、つまり、建物の室内側であって、基準線から外れた位置には、多数の壁や柱が設置されているが、これらは、耐力壁40ではない間仕切り壁や、間仕切り壁を支持するためのものであって構造柱30ではない柱である。
また、図７に示すように、基準線上には、耐力壁40以外の多数の壁や、構造柱30以外の多数の柱が設置されているが、これらも、耐力壁40ではない間仕切り壁や、間仕切り壁を支持するためのものであって構造柱30ではない柱である。
また、本実施の形態では、間仕切り壁のうち、図７中において符号を付していないものは、いずれも非耐力壁である。
【００９１】
また、図７に示すように、基本線としての第２基本線20上には、耐力壁40と非耐力壁50とが設置されているが、この耐力壁40と非耐力壁50とは、区別可能に形成されている。つまり、基本線上に設置されている耐力壁40が、基本線上に設置されている非耐力壁50とは区別可能に形成されている。具体的には、プランＡやプランＢと同様である。
また、本実施の形態では、上側の外壁線と第１基本線10との間の寸法を、１８００ｍｍに設定してある。そして、図７に示すように、上側の外壁線と第１基本線10との間に、設備空間70を設けている。具体的には、図７に示すように、上側の外壁線と第１基本線10との間に、設備空間70としての、ユニットバス72、洗面脱衣室74、およびトイレ73を、左から順に設けている。
【００９２】
また、図７中には符号は付していないが、建物の室内側には、ユニットバス72やトイレ73や洗面脱衣室74の出入口とされる開口が設けられ、これらの開口には、それぞれ、ドアや引き戸などの内部建具が設けられている。
（２階のプランＢ）
また、２階の間取りについては、図５に示すプランＡに代えて、図８に示すプランＢのようにすることもできる。
以下、図８に基づいて、２階のプランＢについて説明する。
プランＢは、外壁線の位置、第１基本線10、および第２基本線20の位置については、プランＡと同様である。プランＢは、プランＡとは、間取りが異なるものである。
【００９３】
また、プランＢでも、プランＡと同様に、建物の２階の外壁線に沿って２階の床梁が設けられ、また、この２階の床梁の上方に、この２階の床梁と平行に、２階の天井梁（小屋梁）が設けられ、また、２階の床梁と２階の天井梁（小屋梁）との間に、構造柱30や間柱が設置されるとともに、耐力壁40や非耐力壁50が設置されている。また、この構造柱30は、２階の床梁の上に立設されており、２階の天井梁（小屋梁）を支えている。
また、屋根の構造についても、プランＢは、プランＡと同様である。
また、図８に示すように、上側および下側の外壁線と平行に、第１基本線10が設定されているとともに、右側および左側の外壁線と平行に、そして、第１基本線10と直交するように、第２基本線20が設定されている。
【００９４】
また、図８に示すように、上側の外壁線上には、９本の構造柱30が設けられている。また、２階の各構造柱30の位置は、１階の各構造柱30の位置と一致している。なお、上側の外壁線上における、左端の構造柱30と、右から２番目の構造柱30とは、左右両側の外壁線上の構造柱30と共用である。また、上側の外壁線上には、５つの耐力壁40が設置されている。また、上側の外壁線上には、２つの非耐力壁50が設けられている。また、上側の外壁線上には、２つの開口60が設けられ、各開口60には、それぞれ、窓が設置されている。
また、図８に示すように、右側の外壁線上には、５本の構造柱30が設けられている。また、２階の各構造柱30の位置は、１階の各構造柱30の位置と一致している。なお、右側の外壁線上における、上下両端の構造柱30は、上下両側の外壁線上の構造柱30と共用である。また、右側の外壁線上には、３つの耐力壁40が設けられている。また、右側の外壁線上には、３つの開口60が設けられ、各開口60には、それぞれ、窓が設置されている。
【００９５】
また、図８に示すように、下側の外壁線上には、１０本の構造柱30が設けられている。また、２階の各構造柱30の位置は、１階の各構造柱30の位置と一致している。なお、下側の外壁線上における、左端の構造柱30と、右から２番目の構造柱30とは、左右両側の外壁線上の構造柱30と共用である。また、下側の外壁線上には、４つの耐力壁40が設けられている。また、下側の外壁線上には、３つの非耐力壁50が設けられている。また、下側の外壁線上には、４つの開口60が設けられ、各開口60には、それぞれ、窓が設置されている。
また、図８に示すように、左側の外壁線上には、６本の構造柱30が設けられている。また、２階の各構造柱30の位置は、１階の各構造柱30の位置と一致している。なお、左側の外壁線上における、上下両端の構造柱30は、上下両側の外壁線上の構造柱30と共用である。また、左側の外壁線上には、３つの耐力壁40が設けられている。また、左側の外壁線上には、１つの非耐力壁50が設けられている。また、左側の外壁線上には、２つの開口60が設けられ、各開口60には、それぞれ、窓が設置されている。
【００９６】
また、図８に示すように、第１基本線10上には、４本の構造柱30が設けられ、また、第２基本線20上にも、４本の構造柱30が設けられている。また、第２基本線20上には、１つの耐力壁40が設けられている。
なお、第１基本線10上の４本の構造柱30のうち、左右両端の構造柱30は、左右両側の外壁線上の構造柱30と共用である。この点は、プランＡと同様である。
また、第２基本線20上の４本の構造柱30のうち、上下両端の構造柱30は、上下両側の外壁線上の構造柱30と共用である。この点も、プランＡと同様である。
また、第１基本線10上の４本の構造柱30のうち、右から２番目の構造柱30は、第２基本線20上の構造柱30と共用である。すなわち、第２基本線20上の４本の構造柱30のうち、下から２番目の構造柱30は、第１基本線10上の構造柱30と共用である。つまり、第１基本線10と第２基本線20との交点に、構造柱30が設けられているのである。この点も、プランＡと同様である。
【００９７】
そして、第１基本線10上の４本の構造柱30は、第１基本線10に沿って設けた２階の床梁の上に立設されており、第１基本線10に沿って設けた登り梁を支持しているのである。
また、第２基本線20上の４本の構造柱30は、第２基本線20に沿って設けた２階の床梁の上に立設されており、第２基本線20に沿って設けた２階の天井梁（小屋梁）を支持しているのである。
また、本実施の形態では、室内側の３本の各構造柱30の位置は、１階の各構造柱30の位置とは一致している。これにより、２階の床梁の梁背を低く抑えることができるようにしているのである。
【００９８】
また、図８に示すように、建物の外壁線よりも内側においては、つまり、建物の室内側においては、構造柱30および耐力壁40が基準線上にのみ設置されている。すなわち、建物の外壁線よりも内側であって、基準線から外れた位置には、つまり、建物の室内側であって、第１基準線から外れた位置には、構造柱30も耐力壁40も設置されていない。
また、図８に示すように、建物の外壁線よりも内側であって、基準線から外れた位置には、つまり、建物の室内側であって、基準線から外れた位置には、多数の壁や柱が設置されているが、これらは、耐力壁40ではない間仕切り壁や、間仕切り壁を支持するためのものであって構造柱30ではない柱である。
【００９９】
また、図８に示すように、基準線上には、耐力壁40以外の多数の壁や、構造柱30以外の多数の柱が設置されているが、これらも、耐力壁40ではない間仕切り壁や、間仕切り壁を支持するためのものであって構造柱30ではない柱である。
また、本実施の形態では、間仕切り壁のうち、図８中において符号を付していないものは、いずれも非耐力壁である。
また、図８に示すように、基本線としての第２基本線20上には、耐力壁40と非耐力壁50とが設置されているが、この耐力壁40と非耐力壁50とは、区別可能に形成されている。つまり、基本線上に設置されている耐力壁40が、基本線上に設置されている非耐力壁50とは区別可能に形成されている。具体的には、１階のプランＡないしプランＣと同様である。
【０１００】
また、図８に示すように、本実施の形態では、１階と２階とを連通させる、吹抜け空間80が設けられている。
また、図８中には符号は付していないが、建物の室内側には、各部屋の出入口とされる開口が設けられ、これらの開口には、それぞれ、ドアなどの内部建具が設けられている。
（２階のプランＣ）
また、２階の間取りについては、図５に示すプランＡや、図８に示すプランＢに代えて、図９に示すプランＣのようにすることもできる。
以下、図９に基づいて、２階のプランＣについて説明する。
【０１０１】
プランＣは、外壁線の位置、第１基本線10、および第２基本線20の位置については、プランＡやプランＢと同様である。プランＣは、プランＡやプランＢとは、間取りが異なるものである。
また、プランＣでも、プランＡやプランＢと同様に、建物の２階の外壁線に沿って２階の床梁が設けられ、また、この２階の床梁の上方に、この２階の床梁と平行に、２階の天井梁（小屋梁）が設けられ、また、２階の床梁と２階の天井梁（小屋梁）との間に、構造柱30や間柱が設置されるとともに、耐力壁40や非耐力壁50が設置されている。また、この構造柱30は、２階の床梁の上に立設されており、２階の天井梁（小屋梁）を支えている。
【０１０２】
また、屋根の構造についても、プランＣは、プランＡやプランＢと同様である。
また、図９に示すように、上側および下側の外壁線と平行に、第１基本線10が設定されているとともに、右側および左側の外壁線と平行に、そして、第１基本線10と直交するように、第２基本線20が設定されている。
また、図９に示すように、上側の外壁線上には、９本の構造柱30が設けられている。また、２階の各構造柱30の位置は、１階の各構造柱30の位置と一致している。なお、上側の外壁線上における、左端の構造柱30と、右から２番目の構造柱30とは、左右両側の外壁線上の構造柱30と共用である。また、上側の外壁線上には、５つの耐力壁40が設置されている。また、上側の外壁線上には、２つの非耐力壁50が設けられている。また、上側の外壁線上には、２つの開口60が設けられ、各開口60には、それぞれ、窓が設置されている。
【０１０３】
また、図９に示すように、右側の外壁線上には、５本の構造柱30が設けられている。また、２階の各構造柱30の位置は、１階の各構造柱30の位置と一致している。なお、右側の外壁線上における、上下両端の構造柱30は、上下両側の外壁線上の構造柱30と共用である。また、右側の外壁線上には、３つの耐力壁40が設けられている。また、右側の外壁線上には、３つの開口60が設けられ、各開口60には、それぞれ、窓が設置されている。
また、図９に示すように、下側の外壁線上には、１０本の構造柱30が設けられている。また、２階の各構造柱30の位置は、１階の各構造柱30の位置と一致している。なお、下側の外壁線上における、左端の構造柱30と、右から２番目の構造柱30とは、左右両側の外壁線上の構造柱30と共用である。また、下側の外壁線上には、４つの耐力壁40が設けられている。また、下側の外壁線上には、３つの非耐力壁50が設けられている。また、下側の外壁線上には、４つの開口60が設けられ、各開口60には、それぞれ、窓が設置されている。
【０１０４】
また、図９に示すように、左側の外壁線上には、７本の構造柱30が設けられている。また、２階の各構造柱30の位置は、１階の各構造柱30の位置と一致している。なお、左側の外壁線上における、上下両端の構造柱30は、上下両側の外壁線上の構造柱30と共用である。また、左側の外壁線上には、２つの耐力壁40が設けられている。また、左側の外壁線上には、１つの非耐力壁50が設けられている。また、左側の外壁線上には、４つの開口60が設けられ、各開口60には、それぞれ、窓が設置されている。
また、図９に示すように、第１基本線10上には、４本の構造柱30が設けられ、また、第２基本線20上にも、４本の構造柱30が設けられている。また、第２基本線20上には、１つの耐力壁40が設けられている。
【０１０５】
なお、第１基本線10上の４本の構造柱30のうち、左右両端の構造柱30は、左右両側の外壁線上の構造柱30と共用である。この点は、プランＡやプランＢと同様である。
また、第２基本線20上の４本の構造柱30のうち、上下両端の構造柱30は、上下両側の外壁線上の構造柱30と共用である。この点も、プランＡやプランＢと同様である。
また、第１基本線10上の４本の構造柱30のうち、右から２番目の構造柱30は、第２基本線20上の構造柱30と共用である。すなわち、第２基本線20上の４本の構造柱30のうち、下から２番目の構造柱30は、第１基本線10上の構造柱30と共用である。つまり、第１基本線10と第２基本線20との交点に、構造柱30が設けられているのである。この点も、プランＡやプランＢと同様である。
【０１０６】
そして、第１基本線10上の４本の構造柱30は、第１基本線10に沿って設けた２階の床梁の上に立設されており、第１基本線10に沿って設けた登り梁を支持しているのである。
また、第２基本線20上の４本の構造柱30は、第２基本線20に沿って設けた２階の床梁の上に立設されており、第２基本線20に沿って設けた２階の天井梁（小屋梁）を支持しているのである。
また、本実施の形態では、室内側の３本の各構造柱30の位置は、１階の各構造柱30の位置とは一致している。これにより、２階の床梁の梁背を低く抑えることができるようにしているのである。
【０１０７】
また、図９に示すように、建物の外壁線よりも内側においては、つまり、建物の室内側においては、構造柱30および耐力壁40が基準線上にのみ設置されている。すなわち、建物の外壁線よりも内側であって、基準線から外れた位置には、つまり、建物の室内側であって、第１基準線から外れた位置には、構造柱30も耐力壁40も設置されていない。
また、図９に示すように、建物の外壁線よりも内側であって、基準線から外れた位置には、つまり、建物の室内側であって、基準線から外れた位置には、多数の壁や柱が設置されているが、これらは、耐力壁40ではない間仕切り壁や、間仕切り壁を支持するためのものであって構造柱30ではない柱である。
【０１０８】
また、図９に示すように、基準線上には、耐力壁40以外の多数の壁や、構造柱30以外の多数の柱が設置されているが、これらも、耐力壁40ではない間仕切り壁や、間仕切り壁を支持するためのものであって構造柱30ではない柱である。
また、本実施の形態では、間仕切り壁のうち、図９中において符号を付していないものは、いずれも非耐力壁である。
また、図９に示すように、基本線としての第２基本線20上には、耐力壁40と非耐力壁50とが設置されているが、この耐力壁40と非耐力壁50とは、区別可能に形成されている。つまり、基本線上に設置されている耐力壁40が、基本線上に設置されている非耐力壁50とは区別可能に形成されている。具体的には、１階のプランＡないしプランＣと同様である。
【０１０９】
また、図９に示すように、本実施の形態では、１階と２階とを連通させる、吹抜け空間80が設けられている。
また、図９中には符号は付していないが、建物の室内側には、各部屋の出入口とされる開口が設けられ、これらの開口には、それぞれ、ドアなどの内部建具が設けられている。
（作用・効果）
本実施の形態では、個別具体的な間取りのプランニングの前に、建物の外壁線よりも内側に、外壁線と平行な少なくとも１の第１基本線10と、外壁線と平行でかつ第１基本線10と直交する少なくとも１の第２基本線20が、あらかじめ設定されている。そして、間取りは、第１基本線10および第２基本線20があることを前提にプランニングされる。そして、建物の外壁線上に設置された構造柱30および耐力壁40と、第１基本線10および第２基本線20上に設置された構造柱30、耐力壁40、または構造柱30および耐力壁40とによって、建築基準法上十分な耐震性能を発揮するように、構造計算に基づいた設計が行なわれ、その設計に従って建物が施工される。
【０１１０】
このため、本実施の形態では、第１の実施の形態と比較すると、第２基本線20を設定した分、間取りの自由度は制限されるものの、建物の外壁線よりも内側における、構造柱30や耐力壁40を設置してもよい位置が増える。しかも、第２基本線20が第１基本線10と直交することから、Ｘ方向およびＹ方向のいずれの方向の耐力を負担する耐力壁40であっても、建物の外壁線よりも内側に設置することができる。したがって、建築基準法上十分な耐震性能を発揮するような設計がしやすくなる。
また、本実施の形態では、第１基本線10および第２基本線20上に構造柱30や耐力壁40が設置されており、すなわち、第１基本線10および第２基本線20のそれぞれに沿って梁が設置されているものである。そして、第１基本線10と第２基本線20との交点とは、つまり、第１基本線10に沿って設置される梁と、第２基本線20に沿って設置される梁との交点を意味するものであり、この直交する両梁の交点に、構造柱30を設置しているものである。このため、本実施の形態では、少ない構造柱30で最大限の耐震性能を発揮させることができるのである。
【０１１１】
また、本実施の形態では、第１基本線10や第２基本線20の位置さえ明らかになれば、第１基本線10や第２基本線20から外れた位置に配置されている柱や壁は構造柱30や耐力壁40ではないことが明らかになり、これにより、どの柱や壁が取り外し可能かがすぐにわかるので、建築後のリフォームでの間取り変更がしやすくなる。
また、本実施の形態では、たとえ間取りが決まらなくても、構造柱30の位置と耐力壁40の位置とを決めることができるので、例えば、部屋にすることを予定していた位置を後で吹抜け空間80にするように変更したとしても、構造柱30や耐力壁40の位置を見直して構造計算をやり直さなくても済むので、設計変更も容易に行なうことができる。
【０１１２】
また、本実施の形態では、第１基本線10および第２基本線20があることを前提に間取りのプランニングを行なえばよいので、間取りのプランニングの自由度を高めることができる。
また、本実施の形態では、建物の外壁線よりも内側に設置される構造柱30や耐力壁40の位置を単純化することができ、これにより、軸組の本数などが経済的な構造体を容易に実現できる。
また、本実施の形態では、複雑な間取りを単純化された構造体で実現することができる。
【０１１３】
また、本実施の形態では、複数階の建物において、各階の第１基本線10および第２基本線20の位置を、水平面に投影したときに互いに重なるように設定してあるので、建物の外壁線よりも内側における構造柱30の位置を、同一の第１基本線10および第２基本線20上に集約できる。
また、本実施の形態では、上側の外壁線と第１基本線10との間の寸法を適切に設定してあるので、一定のルールの中でも自由設計が可能となり、顧客の多様なニーズに応えつつも、設計の効率性を高めることができるのである。具体的には、上述したように、上側の外壁線と第１基本線10との間の寸法を、１８００ｍｍに設定してある。そして、１８００ｍｍある上側の外壁線と第１基本線10との間に、浴室や洗面脱衣室74を配置してある。このため、一般的に介助空間として求められる、１８００ｍｍ×１８００ｍｍという広さを守りながら、浴室や洗面脱衣室74を配置することができるのである。
【０１１４】
また、本実施の形態では、基本線（第１基本線10および第２基本線20）上に設置されている耐力壁40が、基本線（第１基本線10および第２基本線20）上に設置されている非耐力壁50とは区別可能に形成されているので、基本線（第１基本線10および第２基本線20）の位置さえ明らかになれば、基本線（第１基本線10および第２基本線20）から外れた位置に配置されている柱や壁は構造柱30や耐力壁40ではないことが明らかになる。したがって、本実施の形態では、基本線（第１基本線10および第２基本線20）上の壁について、耐力壁40か非耐力壁50かの区別が容易につくことから、いずれの壁が取り外し可能かがすぐにわかるので、建築後のリフォームでの間取り変更がしやすいのである。
【図面の簡単な説明】
【０１１５】
【図１】本発明の第１の実施の形態に係る建物の１階のプランを示す平面図。
【図２】本発明の第１の実施の形態に係る建物の２階のプランＡを示す平面図。
【図３】本発明の第１の実施の形態に係る建物の２階のプランＢを示す平面図。
【図４】本発明の第２の実施の形態に係る建物の１階のプランＡを示す平面図。
【図５】本発明の第２の実施の形態に係る建物の２階のプランＡを示す平面図。
【図６】本発明の第２の実施の形態に係る建物の１階のプランＢを示す平面図。
【図７】本発明の第２の実施の形態に係る建物の１階のプランＣを示す平面図。
【図８】本発明の第２の実施の形態に係る建物の２階のプランＢを示す平面図。
【図９】本発明の第２の実施の形態に係る建物の２階のプランＣを示す平面図。
【符号の説明】
【０１１６】
10  第１基本線
20  第２基本線
30  構造柱
40  耐力壁
50  非耐力壁
60  開口
70  設備空間
71  キッチン
72  ユニットバス
73  トイレ
74  洗面脱衣室
75  クローゼット
80  吹抜け空間
【図１】
2009057778.tif 000003
【図２】
2009057778.tif 000004
【図３】
2009057778.tif 000005
【図４】
2009057778.tif 000006
【図５】
2009057778.tif 000007
【図６】
2009057778.tif 000008
【図７】
2009057778.tif 000009
【図８】
2009057778.tif 000010
【図９】
2009057778.tif 000011